(57)【特許請求の範囲】
【請求項１】
窓信号（LW,RW）を繰返し発生する窓回路と、
同期パルス（Hs）が窓信号（LW,RW）内に発生する場合には同期パルス（Hs）に関連するゲートパルス（Hp）を繰返し出力するゲート回路とを具え、
該ゲート回路は同期パルス（Hs）が窓信号（LW,RW）の前縁の前に発生する場合には窓信号の前縁（LW）に関連するゲートパルス（Hp）を発生し、同期パルス（Hs）が窓信号（LW,RW）の後縁の後に発生する場合には窓信号の後縁（RW）に関連するゲートパルス（Hp）を発生する手段を具え、
ゲートパルス（Hp）と同期パルス（Hs）と窓信号（LW,RW）は、ゲートパルス（Hp）が同期パルス（Hs）または窓信号（LW,RW）の前縁または後縁と同一の瞬時に、あるいは該同一の瞬時に対し処理遅延または計算時間だけシフトした瞬時に発生するような関係であることを特徴とする同期回路。
【請求項２】
前記窓回路は、同期パルス（Hs）に関連するパルス（Hsyp）が窓信号（LW,RW）内に発生する場合には同期パルス（Hs）に関連する基準パルス（Hv）を発生し、同期パルス（Hs）が窓信号（LW,RW）内に発生しない場合には窓信号（LW,RW）の前縁（LW）又は後縁（RW）に関連する基準パルス（Hv）を発生する手段を具え、前記基準パルス（Hv）が次の窓信号（LW,RW）を決定する時間基準を与えることを特徴とする請求項１記載の同期回路。
【請求項３】
前記窓回路は、同期パルス（Hs）に関連するパルス（Hsyp）が窓信号（LW,RW）の開始前に発生する場合には窓信号（LW）の前縁に関連する基準パルス（Hv）を発生し、同期パルス（Hs）に関連するパルス（Hsyp）が窓信号（LW,RW）の終了後に発生する場合には窓信号（RW）の後縁に関連する基準パルス（Hv）を発生する手段を具えていることを特徴とする請求項２記載の同期回路。
【請求項４】
前記窓回路は、基準パルス（Hv）を、この基準パルスと前基準パルス（Hv−１）との間の時間インターバルの長さが同期パルス（Hs）に関連する２つの連続するパルス（Hsyp−１及びHsyp）間の期間にできるだけ近似するような瞬時に発生させる手段を具え、前記瞬時が窓信号の前縁（LW）及び窓信号の後縁（RW）により決定される窓内に常に位置するようにしたことを特徴とする請求項２記載の同期回路。
【請求項５】
前記窓回路は前記ゲート回路の前出力パルス（Hp−１）に関連して窓信号（LW,RW）の前縁（LW）及び後縁（RW）を発生する縁発生手段を具えていることを特徴とする請求項１記載の同期回路。
【請求項６】
前記窓回路は前記基準パルス（Hv）に関連して窓信号（LW,RW）の前縁（LW）及び後縁（RW）を発生する縁発生手段を具えていることを特徴とする請求項２、３又は４記載の同期回路。
【請求項７】
前記窓回路及び前記ゲート回路が同期パルス（Hs）を受信し、ゲートパルス（Hp）をフェーズロックループ回路に供給するように結合され、或いは前記窓回路及び前記ゲート回路の入力端子がフェーズロックループ回路の出力端子に結合され、且つ前記フェーズロックループ回路の入力端子が供給同期パルス（Hs）を受信するよう結合され、更に、前記フェーズロックループ回路の発振器に関連するクロック信号（CLK）を発生する手段を具え、前記縁発生手段が前記フェーズロックループ回路の発振器からの所定数のパルスをカウントして現ゲートパルス（Hp）から次の窓信号（LW,RW）の前縁（LW）及び後縁（RW）までの期間を決定するように構成されていることを特徴とする請求項５記載の同期回路。
【請求項８】
前記窓回路及び前記ゲート回路が同期パルス（Hs）を受信し、ゲートパルス（Hp）をフェーズロックループ回路に供給するように結合され、或いは前記窓回路及び前記ゲート回路の入力端子がフェーズロックループ回路の出力端子に結合され、且つ前記フェーズロックループ回路の入力端子が同期パルス（Hs）を受信するよう結合され、更に、前記フェーズロックループ回路の発振器に関連するクロック信号（CLK）を発生する手段を具え、前記縁発生手段が前記フェーズロックループ回路の発振器からの所定数のパルスをカウントして現基準パルス（Hv）から次の窓信号（LW,RW）の前縁（LW）及び後縁（RW）までの期間を決定するように構成されていることを特徴とする請求項６記載の同期回路。
【請求項９】
前記窓回路は更にクロック信号（XCLK）を発生する別の発振器を具え、前記縁発生手段が前記別の発振器からの所定数のパルスをカウントして現ゲートパルス（Hp）から次の窓信号（LW,RW）の前縁（LW）及び後縁（RW）までの期間を決定するように構成されていることを特徴とする請求項５記載の同期回路。
【請求項１０】
前記窓回路は更にクロック信号（XCLK）を発生する別の発振器を具え、前記縁発生手段が前記別の発振器からの所定数のパルスをカウントして現基準パルスス（Hv）から次の窓信号（LW,RW）の前縁（LW）及び後縁（RW）までの期間を決定するように構成されていることを特徴とする請求項６記載の同期回路。
【請求項１１】
前記ゲート回路はゲートパルス（Hp）に所望の幅を与える手段を具えていることを特徴とする請求項１記載の同期回路。
【請求項１２】
窓信号は窓開始瞬時（LW）及び窓終了瞬時（RW）を具える反復窓瞬時（LW,RW）により形成され、
同期パルスは同期瞬時（Hs）により形成され、
ゲートパルスは、同期瞬時（Hs）が窓開始瞬時（LW）と窓終了瞬時（RW）との間に発生する場合には同期瞬時（Hs）に関連するゲート瞬時（Hp）により形成され、同期瞬時（Hs）が窓開始瞬時（LW）の前に発生する場合には窓開始瞬時（LW）に関連するゲート瞬時により形成され、同期瞬時（Hs）が窓終了瞬時（RW）の後に発生する場合には窓終了瞬時（RW）に関連するゲート瞬時（Hp）により形成されることを特徴とする請求項１記載の同期回路。
【請求項１３】
画像情報（PI）受信用入力端子と、
画像情報（PI）から水平同期パルス（Hs）を分離する手段と、
画像表示装置の水平アドレッシング（HDEF,HY）を制御する請求項１に記載の同期回路と、
表示スクリーンと、
を具えた画像表示装置。
【請求項１４】
窓信号（LW,RW）を繰返し発生するステップと、
同期パルス（Hs）が窓信号（LW,RW）内に発生する場合には同期パルス（Hs）に関連するゲートパルス（Hp）を、同期パルス（Hs）が窓信号（LW,RW）の前縁の前に発生する場合には窓信号（LW）の前縁に関連するゲートパルス（Hp）を、同期パルス（Hs）が窓信号（LW,RW）の後縁の後に発生する場合には窓信号（RW）の後縁に関連するゲートパルス（Hp）を繰返し発生するステップとを具え、
ゲートパルス（Hp）と同期パルス（Hs）と窓信号（LW,RW）は、ゲートパルス（Hp）が同期パルス（Hs）または窓信号（LW,RW）の前縁または後縁と同一の瞬時に、あるいは該同一の瞬時に対し処理遅延または計算時間だけシフトした瞬時に発生するような関係であることを特徴とする同期方法。
【請求項１５】
同期パルス（Hs）が窓信号（LW,RW）内に発生する場合には同期パルス（Hs）に関連する基準パルス（Hv）を発生し、同期パルス（Hs）が窓信号（LW,RW）内に発生しない場合には窓信号（LW,RW）の前縁（LW）又は後縁（RW）に関連する基準パルス（Hv）を発生することを特徴とする請求項14記載の同期方法。
【請求項１６】
窓信号は窓開始瞬時（LW）及び窓終了瞬時（RW）を具える反復窓瞬時（LW,RW）により形成され、
同期パルスは同期瞬時（Hs）により形成され、
ゲートパルスは、同期瞬時（Hs）が窓開始瞬時（LW）と窓終了瞬時（RW）との間に発生する場合には同期瞬時（Hs）に関連するゲート瞬時（Hp）により形成され、同期瞬時（Hs）が窓開始瞬時（LW）の前に発生する場合には窓開始瞬時（LW）に関連するゲート瞬時により形成され、同期瞬時（Hs）が窓終了瞬時（RW）の後に発生する場合には窓終了瞬時（RW）に関連するゲート瞬時（Hp）により形成されることを特徴とする請求項14記載の同期方法。
【発明の詳細な説明】
本発明は、反復窓信号を発生する窓回路と、供給された同期パルスが窓信号内に発生する場合に供給同期パルスに関連する反復ゲートパルスを出力するゲート回路とを具える同期回路に関するものである。
本発明は同期方法にも及び上述の同期回路を含む画像表示装置にも関するものである。
このタイプの同期回路は米国特許US−Ａ−5,034,815号から既知である。垂直及び水平同期パルスを複合ビデオ信号から取り出すとともに、水平同期パルスを複合ビデオ信号から並列パスを経て分離し、これらの水平同期パルスが高速フェーズロックループ（PLL）（ここでは自動周波数制御回路（AFC）という）を経て窓信号を発生する。
水平同期パルスが窓信号内に発生するかぎり、水平同期パルスの時間情報がゲート回路の出力端子から出力される。水平同期パルスが窓信号内に発生しない場合には、ゲート回路はその出力端子から窓信号を出力する。このようにすると、例えばビデオカッセトレコーダ（VCR）のような周辺装置における不満足な信号処理又は伝送中における原信号のその他の擾乱のために予測時間窓内に発生しない供給水平同期パルスをAFC回路により正当に予測された水平同期パルスと置換することができる。US−Ａ−5,034,815号に記載された発明は供給水平同期パルスの位置の誤りに対するある程度の保護を与える。
しかし、ゲート回路を出る２つの連続する出力パルス間の時間が大きく変化しうる。２つの連続する出力パルス間の時間は所定の最大値を越えてはならない。その理由は、さもなければ水平回路内に不所望な高電圧が発生し、水平偏向回路内の素子の過負荷を生ずるためである。また、出力パルスの位置の誤りにより生ずる公称水平ライン周期の大きすぎる（長すぎる又は短すぎる）偏差を擾乱状態において許すと、これらの状態から入力水平同期パルスの繰返し周波数を公称値又はほぼ公称値に補正するのに必要とされる時間が所望値より長くなり、可視擾乱が画像の上部に発生しうる。公称繰返し周波数に対する瞬時繰返し周波数のこのような制限は垂直偏向回路においても、又はLCDのような別の表示装置を駆動する同期回路においても同一の利点を有する。更に、２つの連続する周期における２つの連続する出力パルス間の期間の大きすぎる変化も水平偏向回路内に不所望な高電圧を発生する。
また、供給水平同期パルスが窓信号内に発生する場合には、出力パルスの幅が窓信号に対する水平同期パルスの位置に依存する。水平同期パルスが窓信号内に発生しない場合には、窓信号が固定の選択された幅を有する出力パルスとして出力される。このような出力パルスの幅の変化は、後続の水平偏向フェーズロックループ回路（Ｈ−PLL）がこの出力パルスの幅を用いる構成である場合に、この回路の動作を妨害する。その結果、前記出力パルスの幅に依存して画像の水平位置の擾乱が生ずる。
更に、安定状態において、水平同期回路が正しく動作するには窓信号の前縁の位置が水平同期パルスの後縁の後に生ずる必要がある。これは、ゲート回路が水平同期パルスを出力端子に通す範囲を不所望に制限する。
本発明の目的は、出力パルスを所定の時間範囲内に発生する同期回路及び方法を提供することにある。
この目的のために、本発明の第１の特徴は請求の範囲１に記載された同期回路を提供することにある。ゲート回路の出力端子に発生するゲートパルスの時間位置は、供給された水平同期パルスが窓信号の開始前に発生する場合には窓信号の前縁の位置に関連し、供給された水平同期パルスが窓の終了後に発生する場合には窓信号の後縁に関連する。これは、水平同期パルスの位置に対する窓の前縁の位置及びゲートパルスの所望の幅の選択の自由をもたらす。パルスが窓の縁と同一の瞬時に発生する場合又はパルスがこの窓の縁の発生瞬時に対し所定の遅延だけずれた瞬時に発生する場合、このパルスは窓信号の縁に関連するという。所定の遅延は信号を処理するのに必要な回路により、又はマイクロコンピュータの計算時間により生ずる。
本発明同期回路の他の実施例は請求の範囲２に記載されている。基準パルスをゲート回路の出力パルスの再生とすることができる。
本発明同期回路の更に他の実施例は請求の範囲３に記載されている。この実施例は、基準パルスを供給同期パルスにできるだけ近接して窓信号内に発生させることができる利点を有する。
本発明同期回路の更に他の実施例は請求の範囲４に記載されている。この実施例は、供給同期パルスが窓信号内に発生する場合には基準パルスをこの同期パルスにできるだけ近接して発生し、その他の場合には基準パルスを窓信号の前縁又は後縁に発生して、前基準パルスに対するこの基準パルスの時間インターバルを２つの連続する同期パルスの時間周期にできるだけ近似させる利点を有する。
本発明同期回路の更に他の実施例は請求の範囲５に記載され、更に他の実施例は請求の範囲６に記載されている。両実施例の利点は、現出力パルス又は基準パルスと次の窓信号の前縁との間の最小時間及び現出力パルス又は基準パルスと次の窓信号の後縁との間の最大時間を所定の限界値内で固定することができる点にある。
本発明同期回路の更に他の実施例は請求の範囲７に記載され、更に他の実施例は請求の範囲８に記載されている。これらの２つの実施例は、ゲート回路の３つの連続する出力パルス間の２つの連続する時間周期が決して窓の幅以上に変化しえないため、偏向回路が周期の急変を受信せず、その回路素子が過負荷になることはない利点を有する。
本発明同期回路の更に他の実施例は請求の範囲９に記載され、更に他の実施例は請求の範囲10に記載されている。これらの２つの実施例は、窓回路の出力信号が、別の発振器の選択した安定度に依存して、かなり精密に限定された連続する出力パルス間の最小及び最大時間周期を有する利点を有する。特に、水平PLLの一部を構成する水平発振器を公称水平周波数から不必要に大きくずれないようにして、水平同期回路に後続する水平偏向回路内の素子が過負荷になることがないようにすることができる。この構成は、窓信号の前縁及び後縁を次の出力パルスの公称位置に対し非対象に発生させることができる追加の利点がある。これはTV装置に重要であり、これらの装置では異なる水平周波数で動作する複数のTV方式（例えばPAL,NTSC,Muse）を回路の適応調整なしに処理する必要がある。
更に、高精度のために、PLLの構成時に構成素子の公差を考慮して最小又は最大ライン周期を固定して実際の最大ライン周期を許容最大ラインより遙に小さくする必要がなくなる追加の利点がある。従って、周波数及び位相ジャンプ（特に公称周波数より低い繰返し周波数を有する入力パルスに対する）を補正しうるレートが不必要に制限されない。
本発明同期回路の更に他の実施例はゲート回路がゲートパルスに所望の幅を与える手段を具えていることを特徴とする。この実施例は、供給されたパルスの幅を用いるフェーズロックループ回路を無妨害動作させることができる利点を有する。
請求の範囲12に記載された同期方法は本発明の第２の態様である。
請求の範囲14に記載された画像表示装置は本発明の第３の態様である。
請求の範囲15に記載された画像表示装置は本発明の第４の態様である。
請求の範囲16に記載された同期回路は本発明の第５の態様である。
請求の範囲17に記載された同期方法は本発明の第６の態様である。
本発明のこれらの態様及び他の態様は以下に記載する実施例の説明から明らかになる。
図面において、
図１は画像表示装置に使用する本発明同期回路を示し、
図２は本発明の第１実施例の詳細図であり、
図３は窓回路の第１実施例の動作説明用信号波形図であり、
図４はゲート回路の動作説明用信号波形図であり、
図５は本発明窓回路の第２実施例の詳細図であり、
図６は窓回路の第２実施例の動作説明用信号波形図である。
図1Aは表示管CRTを具えるテレビジョン装置用の本発明による水平同期回路SCを示す。水平同期回路SCの入力信号は画像信号PIから分離された水平同期パルスHsの列を具える。図1Aの回路の出力信号は水平駆動段HDR及びライン出力トランジスタLTを介して水平偏向回路HDEFを制御する駆動信号である。水平偏向回路HDEFは水平偏向コイルHyにより偏向ビームの水平偏向を制御する。
以下の記載では、窓回路WINC1,WINC2及びゲート回路GCを具える本発明による回路Ｕ（図1B）がないものとする。水平同期パルスHsが水平フェーズロックループ回路HPPLの入力端子Ipに供給される。このフェーズロックループHPLLは位相弁別器PDを具え、その第１入力端子が入力端子Ipに結合され、その出力端子がループフィルタLFを経て電圧制御発振器VCOに接続され、この発振器が安定状態において水平同期パルスHsの列の繰り返し周波数のＮ倍の周波数を有するクロック信号CLKを発生する。位相弁別器PDは水平同期パルスHsの位置を、クロック信号CLKを除数Ｎを有する分周器DNにより分周してなる分周パルスDpの位置と比較する。分周回路DNの出力端子が水平フェーズロックループ回路HPLLの出力端子Up及び位相弁別器PDの第２入力端子に接続される。位相弁別器PDの２つの入力信号間の位置の差がループフィルタLFの出力端子に電圧の変化を生じ、この電圧変化が電圧制御発振器VCOを制御するため、この発振器がクロック信号CLKの周波数を、前記位置の差が若干時間後になくなるように調整する。分周パルスDpの位置はループフィルタLFにより決まる所定の遅延で水平同期パルスHsの位置に追従する。水平フェーズロックループ回路HPLLの出力端子Upに得られる分周パルスDpは第２水平フェーズロックループ回路SHPLLの第１入力端子に供給され、その第２入力端子は、例えばライン出力トランジスタLTのコレクタ又はライン出力変成器LOTの二次巻線からの水平フライバック情報を含むフライバック信号Hfを受信する。第２水平フェーズロックループ回路SHPLLの出力端子は駆動信号Hdを出力し、ライン出力トランジスタLTの制御電極（ベース）に結合れる。この第２水平フェーズロックループ回路SHPLLは、例えば表示管CRTのムービ電流に依存するライン出力トランジスタLTのコレクタ電流の変化によるこのトランジスタのスイッチオフ時間の変化を補償する。この目的のために、分周パルスDpの位置がフライバック信号Hfのパルスの位置と比較される。検出された差が、ライン出力トランジスタLTのスイッチオフ瞬時を決定する駆動信号Hdのパルス縁の時間シフトによりできるだけ速く補正される。
駆動信号Hdのパルスの最小及び最大繰り返し周波数を、本発明による回路Ｕを図1Aに示す位置のいずれか一方又は双方に付加することにより制限することができる。本発明による回路Ｕは、その入力信号として画像信号PIから分離された水平同期パルスHsの列を受信し、その出力信号としてゲートパルスHpを出力し、水平フェーズロックループ回路HPLLの入力端子Ipに供給し、且つ／又本発明による回路Ｕはその入力信号として水平フェーズロックループ回路HPLLの出力端子Upに得られる分周回路DNの出力信号を受信し、その出力のゲート信号Hpを第２水平フェーズロックループ回路SHPLLの入力端子の一方に供給する。
図２はゲート回路GCと窓回路の第１実施例WINC1とを具える本発明の第１の実施例を詳細に示し、窓回路WINC1はサンプリング回路SAMP、発振器回路XOSC及び窓基準パルス発生回路WRC1を具え、この窓基準パルス発生回路が位相弁別器PD1、ゲート回路G1及び時間パルス発生回路COUNT1を具える。先ずこの窓回路WINC1について説明する。
発振器回路XOSCは、例えば水晶又は共振器に結合されたリング発振器型であり、安定なクロック信号XCLKを供給し、ゲート回路（GC）及び窓回路（WINC1,WINC2）がこのクロック信号でクロックされる。この別個の発振器回路XOSCにより供給されるクロック信号XCLKの代わりに、電圧制御発振器VCOからのクロック信号CLKを用いることもできる。
水平同期パルスHsがサンプリング回路SAMPの入力端子INに供給され、そのクロック入力端子CLKがクロック信号XCLKを受信する。サンプリング回路SAMPの出力端子OUTがクロックド水平同期パルスHsypを出力する。サンプリング回路SAMPは、クロック信号XCLKに対し非同時に発生する水平同期パルスHsをクロック信号XCLKに対し同期させ、同期（クロックド）回路による後続の処理を可能ならしめるものである。
窓回路WINC1は特に窓決定時間信号、特に窓前縁信号LW及び窓後縁信号RWを発生する。この目的のために、カウンタ回路CO2が窓基準信号Hvの発生瞬時からクロック信号XCLKの所定数のクロックパルスをカウントする。窓基準信号Hvも窓回路WINC1により発生され、この窓基準信号はクロックド水平同期パルスHsypが窓内に発生する場合にはこの同期パルスに関連する。窓基準信号Hvは、クロックド水平同期パルスHsypが窓の前（従って、窓前縁信号LWがアクティブになる前）に発生する場合には窓前縁信号LWに関連し、クロックド水平同期パルスHsypが窓の後（従って、窓後縁信号RWがアクティブになった後）に発生する場合に窓後縁信号RWに関連する。窓回路WINC1について更に詳しく説明する。
時間パルス発生回路COUT1はリスタート可能な９ビットカウンタとカウント復号用論理回路とからなる既知のカウンタ回路CO2を具える。カウンタ回路CO2はクロック信号XCLKに接続されたクロック入力端子CLKと、窓基準パルス発生回路WRC1からの窓基準信号Hvが供給されるリスタート入力端子Rc2を有する。カウンタ回路CO2の第１出力端子Qc2,1は、カウンタ回路CO2のリスタートから所定数N1−１（例えば、344）のクロック周期のカウント後にアクティブになる第１時間信号LW−１（窓−１クロック周期の左縁）を出力する。出力端子Qc2,1は更に第１のクロック周期遅延素子DEL1に接続され、この遅延素子がカウンタのリスタート後のN1クロック周期後にアクティブになる窓前縁信号LWを出力する。第１のクロック周期遅延素子DEL1は更に第２のクロック周期遅延素子DEL2に接続され、この遅延素子が第２時間信号LW＋１を出力する。カウンタ回路CO2の第２出力端子Qc2,2は、カウンタ回路CO2のリスタートから所定数N2（例えば398）のクロック周期のカウント後にアクティブになる窓後縁信号RWを出力する。カウンタ回路CO2の第３出力端子Qc2,3は、カウンタ回路CO2のリスタートから所定数N4（例えば192）のクロック周期のカウント後に１クロック周期XCLK中アクティブになる時間パルスMIDP（水平周期のほぼ中点）を出力する。カウンタ回路CO2の第４出力端子Qc2,4は、カウンタのリスタート後の所定数N3（例えば192）のクロック周期のカウント後にアクティブになる第３時間信号MID（水平周期のほぼ中点）を出力する。カウンタ回路CO2のリスタート入力端子Rc2は窓基準信号Hvにより駆動されるため、次の窓（窓前縁信号LWと窓後縁信号RWにより決定される）は窓基準信号Hvがアクティブになる瞬時から所定の選択したカウント（N1,N2）の終了後に発生する。
位相弁別器PD1は同期セット−リセットフリップフロップSSR3及び論理ゲートINV1,AND2,AND3,OR2を具える。クロックド水平同期パルスHsypが論理ANDゲートAND2の入力端子に供給される。論理ANDゲートAND2の他の入力端子は第３時間信号MIDと、インバータ回路INV1により第２時間信号LW＋１から発生される反転窓前縁信号LWIとを受信する。論理ANDゲートAND2の出力端子は同期セット−リセットフリップフロップSSR3のセット入力端子Ｓと理論ORゲートOR2の一方の入力端子との接続点に接続する。
同期セット−リセットフリップフロップSSR3のリセット入力端子Ｒは窓基準信号Hvを、そのクロック入力端子CLKはクロック信号XCLKを受信し、その出力端子Ｑは論理ORゲートOR2の他方の入力端子に接続される。論理ORゲートOR2の出力は、クロックド水平同期パルスHsypが信号MID後であるが窓LW＋１前に発生するとき（即ち、信号MID後であるが窓LW＋１の左縁前に発生するとき、即ちクロックド水平同期パルスHsypが窓の開始前に発生するとき）にアクティブになる信号Hpd1を出力し、窓基準信号Hvの発生後に滅勢される。論理ANDゲートAND3は３つの入力端子を有し、これらの入力端子がクロックド水平同期パルスHsyp、第２時間信号LW＋１及び第３時間信号MIDを受信し、その出力端子は、パルスHspyが第３時間信号MID及び第２時間信号LW＋１がアクティブである期間中に（従って窓の開始後に）発生するときアクティブになる信号Hpw1を出力する。
ゲート回路G1は論理回路AND4及びOR3を具える。論理ANDゲートAND4の一方の入力端子は信号Hpd1を受信し、その他方の入力端子は窓前縁信号LWを受信し、その出力端子は論理ORゲートOR3の一つの入力端子に接続される。論理ORゲートOR3の他方の入力端子は窓後縁信号RW及び信号Hpw1を受信し、その出力端子が窓基準信号Hvを出力する。
窓回路WINC1の動作を図３に示す信号波形を参照して説明する。図3A,3B及び3Cは、クロックド水平同期パルスHsypがそれぞれ窓の開始前、窓内、及び窓終了後に発生する場合の状態を示す。簡単のため、信号LW−1,LW及びLW＋１は等しいものと仮定する。クロックド水平同期パルスHspy及び窓後縁信号RWの公称位置は破線で示されている。
論理ORゲートOR3は３つの入力端子を有するため、これらの入力のうちの１つがアクティブになると窓基準信号Hvがアクティブになる。図3A,3B及び3Cに示す３つの状態が存在する。
図3Aに示す状態では、第３時間信号MIDが水平周期の中点後の瞬時tMIDにおいてアクティブになり、且つ反転窓前縁信号LWIが既にアクティブであり、且つその後クロックド水平同期パルスHsypが瞬時tHsypに発生する。その結果、論理ANDゲートAND2のべての入力がアクティブになり、信号Hpd1もアクティブになる。瞬時tLWにおいて窓前縁信号LWがアクティブになるとき論理ANDゲートAND4の出力がアクティブになるため、窓基準信号Hv及びカウンタ回路CO2のリスタート入力Rc2もアクティブになり、これにより第３時間信号MID、窓前縁信号LW,反転窓前縁信号LWI及び窓後縁信号RWがクロック信号XCLKの１クロック周期後にそれらの開始位置にリセットされる（tMID前と同様）。このとき新しい時間信号のカウントが開始され、窓前縁信号LW（窓の始点）及び窓後縁信号RW（窓の終点）により決まる次の窓は窓基準信号Hvがアクティブになる瞬時に関連する。同期セット−リセットフリップフロップSSR3及び論理及びOR2の目的は、信号MID後に発生する第１クロックド水平同期パルスHsypのみを検出して、供給された水平同期パルスHsの擾乱時に窓基準信号Hvの不確定の繰返し時間が発生しないようにすることにある。クロックド水平同期パルスHsypが窓の開始前に発生すると、その結果として窓基準信号Hvが窓の前縁（窓前縁信号LWにより決まる）でアクティブになる。
図3Bに示す状態では、信号MIDが水平周期の中点後の瞬時tMIDにおいてアクティブになり、その後窓前縁信号LWが瞬時tLWでアクティブになり、次いでクロックド水平同期パルスHsypが瞬時tHsypにアクティブになる。その結果、ANDゲートAND3のすべての入力がアクティブになり、信号Hpw1及び従って窓基準信号Hvもアクティブになる。次いで種々の信号が図3Aにつき述べたと同様にそれらの開始位置にリセットされる。この状態では、クロックド水平同期パルスHsypが窓内に発生する瞬時に窓基準信号Hvがアクティブになる。
図3Cに示す状態では、信号MIDが水平周期の中点後の瞬時tMIDにおいてアクティブになり、その後窓前縁信号LWが瞬時tLWでアクティブになる。クロックド水平同期パルスHsypが発生する瞬時tHsypは窓後縁信号RWがアクティブになる瞬時tRW前でないため、信号Hpd1及びHpw1はORゲートOR3をアクティブにしえない。そして瞬時tRWにおいてはじめて窓後縁信号RWがORゲートOR3及び従って窓基準信号Hvをアクティブにする。従って、クロックド水平同期パルスHsypが窓後縁信号RWの前に発生しない場合には、窓基準信号Hvが（窓後縁信号RWにより決まる）窓の後縁でアクティブになる。換言すれば、クロックド水平同期パルスHsypが窓後縁RW後に発生する場合には、窓基準信号Hvは窓後縁RWでアクティブになる。
図２に示すゲート回路GCはゲート信号Hpを発生する。ゲート信号Hpは、供給水平同期パルスHsが窓内に発生する場合には供給水平同期パルスHsに関連し、供給水平同期パルスHsが窓の前（従って窓前縁信号LWがアクティブになる前）に発生する場合には窓前縁信号LWに関連し、供給水平同期パルスHsが窓の後（従って窓後縁信号RWがアクティブになった後）に発生する場合には窓後縁信号RWに関連する。ここで、ゲート回路GCについて詳細に説明する。このゲート回路は非同期セット−リセットフリップフロップASR、固定パルス幅発生回路WIDC及び論理ゲートOR1及びAND1を具える。非同期セット−リセットフリップフロップASRは論理ORゲートOR1の出力端子に接続されたセット入力端子SA、時間パルスMIDPを受信するリセット入力端子RA及び論理ANDゲートAND1及び論理ANDゲートAND5の入力端子に接続された出力端子QAを有する。論理ORゲートOR1は水平同期パルスHsと窓後縁信号RWを受信する。論理ANDゲートAND5の第２入力端子は窓前縁信号LWを受信し、その出力端子は第１同期セット−リセットフリップフロップSSR1のセット入力端子S1に接続される。第１同期セット−リセットフリップフロップSSR1のリセット入力端子R1は時間パルスMIDPを受信し、そのクロック入力端子CLKはクロック信号XCLKに接続され、その出力端子Q1はインバータ回路INV2を経て同期リセット可能カウンタCO1の非同期リセット入力端子Rc1に接続される。カウンタCO1のクロック入力端子CLKはクロック信号XCLKを受信し、その出力端子Qc1は第２同期セット−リセットフリップフロップSSR2のリセット入力端子R2に接続される。カウンタCO1はクロック信号XCLKの所定数Nc1のクロックパルスをカウントする。第２セット−リセットフリップフロップSSR2のセット入力端子S2は第１時間信号LW−１に接続され、そのクロック入力端子CLKはクロック信号XCLKに接続され、その出力端子Q2は論理ANDゲートAND1の第２入力端子に接続され、このANDゲートの出力端子がゲート信号Hpを出力する。出力端子QA,Q1,Qc1及びQ2に発生する信号は同様にQA,Q1,Qc1及びQ2で示す。
ゲート回路GCの動作を図４を参照して説明する。図4A、4B及び4Cは水平同期パルスHsが窓の開始前に、窓内に、及び窓の終了後にそれぞれ発生する状態を示す。簡単のため、１クロック周期程度の時間差は考慮せず、信号LW−１及びLWは等しいものと仮定する。水平同期パルスHs及び窓後縁信号RWの公称位置は破線で示されている。
これらの３つの図の各々において、信号MIDPは水平周期のほぼ中点の瞬時tMIDにおいて１クロック周期中アクティブになり、この瞬時後に信号QA,Q1及びQc1がイナクティブ状態になる。２つの瞬時tHS（水平同期パルスHsがアクティブになる瞬時）又はtRW（窓後縁信号RWがアクティブになる瞬時）の最初の発生時に、非同期セット−リセットフリップフロップASRが論理ORゲートOR1を経て直接（即ち、次のクロックパルスXCLKをまたずに）セットされ、信号QAがアクティブになる。論理ORゲートOR1及び非同期セット−リセットフリップフロップASRの組み合わせは、供給水平同期パルスHsが窓後縁信号RW前に発生する場合にはこの同期パルスがアクティブになる瞬時にアクティブになる信号QAを供給し、或いは水平同期パルスが窓後縁信号前に発生しない場合には窓後縁信号RWがアクティブになる瞬時にアクティブになる信号QAを供給する。
ここで固定パルス幅発生回路WIDCの動作を説明する。論理ANDゲートAND5の第１入力端子は窓前縁信号LWに接続され、その第２入力端子は信号QAに接続され、両信号LW及びQAがアクティブになる瞬時にその出力がアクティブになり、第１同期セット−リセットフリップフロップSSR1がセットされる。信号Q1がアクティブになるとカウンタCO1のリセット状態が除去され、このカウンタがクロック信号XCLKの所定数（NC1）のクロックパルスをカウントそた後、即ち固定時間TC1後にアクティブになる信号Qc1を出力し、その結果として、瞬時tLWに窓前縁信号LWによりセットされた第２同期セット−リセットフリップフロップSSR2がリセットされ、信号Q2がイナクティブになる。従って、信号Q2は瞬時tLWにアクティブになり、論理ANDゲートAND5の入力端子の２つの信号QA,LWがアクティブになる瞬時から期間TC1後にイナクティブになる。
図4Aの状態では、水平同期パルスHs及び信号QAが、窓前縁信号LWがアクティブになる瞬時tLWの前の瞬時tHsにおいてアクティブになる。瞬時tLWにおいて、既にアクティブである信号QAのみならず窓前縁信号LWも論理ANDゲートAND5の入力端子においてアクティブになり、この場合には上述の説明に従って、瞬時tLWにアクティブになり、瞬時tLWから期間TC1後にイナクティブになる信号Q2が発生する。信号Q2及びQAの論理AND関数（AND1）はゲート信号Hpとして信号Q2を出力する。従って、水平同期パルスHsが窓の開始前に発生する場合には、その結果としてゲート信号Hpは窓の後縁（窓後縁信号LWによりきまる）でアクティブになり、固定の期間TC1を有するものとなる。
図4Bに示す状態では、水平同期パルスHs及び信号QAが、窓前縁信号LWがアクティブになる瞬時tLWの後の瞬時tHsにおいてアクティブになる。これにより論理ANDゲートAND5の第２入力端子がアクティブになり、この場合には上述の説明に従って、瞬時tLWにアクティブになり、瞬時tHsから期間TC1後にイナクティブになる信号Q2が発生する。信号Q2及びQAの論理AND関数（AND1）はゲート信号Hpとして信号Q2を出力する。信号Q2及び信号QAの論理AND関数（AND1）は瞬時tHsにおいてアクティブになり、次いで期間TC1後にイナクティブになるゲート信号Hpを出力する。従って、水平同期パルスHsが窓内に発生する場合には、その結果としてゲート信号Hpは水平同期パルスHsがアクティブになる瞬時にアクティブになり、固定の期間TC1を有するものとなる。
図4Cに示す状態では、窓後縁信号RWがアクティブになる瞬時tRWの後に瞬時tHsが位置する。この場合には出力信号QAが瞬時tRWにアクティブになる。この瞬時tRWにおいては、論理ANDゲートAND5の第１入力信号（LW）が既にアクティブであるのに加えてその第２入力信号がアクティブになり、この場合には上述の説明に従って、瞬時tLWにおいてアクティブになり、瞬時tRWから期間TC1後にイナクティブになる出力信号Q2が発生する。信号Q2及びQAの論理AND関数（AND1）は瞬時tRWにおいてアクティブになり、期間TC1後にイナクティブになるゲート信号Hpを出力する。従って、水平同期パルスHsが窓後縁信号RWの前に発生しない場合には、その結果としてゲート出力信号Hpは窓の後縁（窓後縁信号RWによりきまる）でアクティブになり、固定の期間TC1を有するものとなる。
図５は本発明による窓回路の第２実施例WINC2の詳細構成図であり、本例窓回路はサンプリング回路SAMP、発振器回路XOSC及び窓基準パルス発生回路WRC2を具え、窓基準パルス発生回路WRC2は位相弁別器PD2、ゲート回路G2及び分周回路COUT2を具える。
発振器回路XOSC及びサンプリング回路SAMPは前述の通りである。
窓回路WINC2は、特に窓前縁信号LW及び窓後縁信号RWのような窓決定時間信号を発生する。この目的のために、カウンタ回路CO3が窓基準信号Hvの発生瞬時からクロック信号XCLKの所定数のクロックパルスをカウントする。窓基準信号Hvは、窓回路WINC2において位相弁別器PD2及びゲート回路G2により、この窓基準信号Hvと前窓基準信号Hv−１との間の時間インターバルがこの窓基準信号Hv前の２つの連続するクロックド同期パルスHsyp−１及びHsyp間の期間にできるだけ近似するように発生させ、窓基準信号Hvが窓前縁信号LWと窓後縁信号RWにより決定される時間インバータ内に常に位置するようにする。この窓回路WINC2を以下に詳細に説明する。
時間パルス発生回路COUT2はリスタート可能な９ビットカウンタ及びカウント復号論理回路からなるカウンタ回路CO3を具える。カウンタ回路CO3はクロック信号XCLK用のクロック入力端子CLK及び窓基準パルス発生回路WRC2からの窓基準信号Hvを受信するリスタート入力端子RC3を有する。カウンタ回路CO3の第１出力端子Qc3,1は、カウンタのリスタートから所定数N1−１（例えば344）のクロック周期のカウント後にアクティブになる第１時間信号LW−１（窓−１クロック周期の左縁）を供給する。この出力端子Qc3,1は更にクロック周期遅延素子DEL1に接続され、この遅延素子がカウンタのリスタートからN1クロック周期後にアクティブになる窓前縁信号LWを供給する。カウンタ回路CO3の第２出力端子Qc3,2はカウンタのリスタートから所定数N2（例えば398）のクロック周期のカウント後にアクティブになる窓後縁信号RWを供給する。カウンタ回路CO3の第３出力端子Qc3,3はカウンタのリスタートから所定数N4（例えば192）のクロック周期のカウント後に１クロック周期XCLK中アクティブになる時間パルスMIDP（水平周期のほぼ中点）を供給する。カウンタ回路CO3のリスタート入力端子RC3は窓基準信号Hvにより駆動されるため、次の窓（窓前縁信号LW及び窓後縁信号RWにより決定される）は固定の選択されたカウント（N1及びN2）の終了後に発生する。
水平同期パルスHsがサンプリング回路SAMPの一方の入力端子に供給され、その他方の入力端子がクロック信号XCLKを受信する。サンプリング回路SAMPの出力端子はクロックド水平同期パルスHsypを出力する。
位相弁別器PD2はリセットがセットに優先するタイプの第１及び第２セット−リセットフリップフロップSSR3及びSSR4と、論理回路INV1,INV2,AND2,AND3を具える。クロックド水平同期パルスHsypは論理ANDゲートAND2の第１入力端子及び第２同期セット−リセットフリップフロップSSR4のリセット入力端子R4にに供給される。ANDゲートAND2の第２入力端子はインバータゲートINV1を経て第２同期セット−リセットフリップフロップSSR4の出力端子Q4に接続され、このANDゲートの出力端子は第１同期セット−リセットフリップフロップSSR3のセット入力端子S3に接続される。第１同期セット−リセットフリップフロップSSR3のリセット入力端子R3は窓基準信号Hvを受信し、そのクロック入力端子CLKはクロック信号XCLKを受信し、その出力端子Q3は信号Hpd2を出力し、インバータゲートINV2を経て論理ANDゲートAND3の第１入力端子に接続される。論理ANDゲートAND3の第２入力端子は窓基準信号Hvを受信し、その出力端子が第２同期セット−リセットフリップフロップSSR4のセット入力端子S4に接続される。第２同期セット−リセットフリップフロップSSR4のクロック入力端子CLKはクロック信号XCLKを受信し、その出力端子が信号Hpw2を出力する。
ゲート回路G2は論理回路AND4及びOR3を具える。ORゲートOR3の第１入力端子は信号Hpd2を受信し、その第２入力端子は窓後縁信号RWを受信し、その出力端子は論理ANDゲートAND4の第１入力端子に接続される。論理ANDゲートAND4の第２入力端子は窓前縁信号LWを受信し、その出力端子が窓基準信号Hvを出力する。
窓回路WINC2の動作を図６に示す波形を参照して更に説明する。図6A,6B及び6Cは、連続するクロックド水平同期パルスHsyp間の時間が公称値を有しクロックド水平同期パルスHsypが常に窓内の同一位置に発生する状態、この時間が短すぎる状態、及びこの時間が長すぎる状態をそれぞれ示す。窓後縁信号RWの公称位置は破線で示されている。
時間パルス発生回路COUNT2は第２時間信号LW＋１及び第３時間信号MIDを発生する必要がない点を除いて時間パルス発生回路COUNT1に等しいため、時間パルス発生回路COUNT2の動作の説明は省略する。
位相弁別器PD2の開始状態においては、第１及び第２同期セット−リセットフリップフロップSSR3及びSSR4の出力信号Hpd2及びHpw2はアクティブでないため、ANDゲートAND2及びAND3の入力端子の一方が論理インバータゲートINV1及びINV2を経て常にアクティブである。次いで、位相弁別器PD2の入力信号のクロックド同期パルスHsypと窓基準信号Hvのうちどちらが先にアクティブになるかに応じて２つの状態が生ずる。先ず第１の状態について述べる。（水平同期パルスHsの発生の結果として）クロックド同期パルスHsypが最初にアクティブになると、第１同期セット−リセットフリップフロップSSR3のセット入力端子S3が論理ANDゲートAND2を経てアクティブになり、出力信号Hpd2がクロック信号XCLKの次のクロック周期CPにおいてアクティブになる。同時に、第２同期セット−リセットフリップフロップSSR4のリセット入力端子R4がアクティブになり、出力信号Hpw2が次のクロック周期中イナクティブのままになる。
図6Aに示す状態では、窓前縁信号LWが瞬時tLW1においてアクティブになり、論理ANDゲートAND4の第２入力端子がアクティブになる。瞬時tHsyp1において、クロックド水平同期パルスHsypがアクティブになると、上述の説明に従って、信号Hpd2が１クロック周期CP後にアクティブになるとともに、信号Hpw2がイナクティブのままになる。信号Hpd2は論理ORゲートOR3を経て論理ANDゲートAND4の第１入力端子をアクティブにし、従って窓基準信号Hvをアクティブにするとともに、第１同期セット−リセットフリップフロップSSR3のリセット入力端子R3をアクティブにして信号Hpd2及び窓基準信号Hvを１クロック周期後にイナクティブにする。窓基準信号Hvのアクティブ状態中信号Hpd2もアクティブであるため、論理ANDゲートAND3は論理インバータゲートINV2を経てイナクティブに維持され、従って信号Hpw2はイナクティブのままである。窓基準信号Hvがアクティブになる結果として、カウンタ回路CO3が１クロック周期CP後の瞬時t0にリセットされ、窓前縁信号LWがイナクティブになる。カウンタ回路CO3はこの瞬時から開始し、次の窓基準信号Hvがアクティブになることによりリセットされるまで動作する。瞬時t0を以後開始瞬時という。クロックド水平同期パルスHsypが開始瞬時t0の前にアクティブにならなかった場合には、次の窓前縁信号LWが開始瞬時t0からクロック信号XCLKのN1クロック周期に等しい時間Tmin後の瞬時tLW2にアクティブになるとともに、窓後縁信号RWが開始瞬時t0からクロック信号XCLKのN2クロック周期に等しい時間Tmax後にアクティブになる。瞬時tHsyp2に発生する第２クロックド水平同期パルスHsypは瞬時tHsyp1について説明したと同様に処理される。Tmin及びTmax間の期間に供給され窓内に入るクロックド同期パルスHsypが窓基準パルスHvとして（１クロック周期CPの遅延で）出力される。
図6Bに示す状態では、クロックド同期信号Hsyp2が瞬時t0後であって窓前縁信号LWがアクティブになる前の瞬時tHsyp2においてアクティブになる。上述したように、出力信号Hpd2が次のクロック周期においてアクティブになり、出力信号Hpw2がイナクティブのままである。この信号Hpd2がORゲートOR3を経てANDゲートAND4の第１入力端子をアクティブにする。瞬時tLW2において、窓前縁信号LWがアクティブになり、従って窓基準信号Hv及び第１同期セット−リセットフリップフロップSSR3のリセット入力端子R3もアクティブになるため、１クロック周期CP後に信号Hpd2及び窓基準信号Hvがイナクティブになる。窓基準信号Hvがアクティブである期間中信号Hpd2もアクティブであるため、論理アクティブAND3は論理インバータゲートINV2を経てイナクティブに維持され、従って従ってHpw2はイナクティブに維持される。２つの連続するクロックド同期パルスHsypの周期がTminより短い場合には、窓基準信号Hvは窓前縁信号LWに等しくなる。この実施例は、クロックド同期パルスHsypが瞬時t0に発生する基準信号Hvと瞬時tLW2に発生する次の窓前縁信号LWとの間の時間インバータ内に発生するか否かを検出する。基準信号Hvが上述の規定の時間インバータ内に発生する場合には、窓の前の発生であるものと決定する。これは、窓の前を信号MIDと次の窓前縁信号LWとの間の時間インバータ内に発生するものとして決定する図２の実施例と異なるところである。信号MIDは前基準信号Hvの後の約半ライン周期の点で始まる。
図6Cに示す状態では、窓前縁信号LW及び従って論理アクティブAND4の第２入力端子が開始瞬時t0後の瞬時tLW2においてアクティブになる。瞬時tRW2において、論理ORゲートOR3の第２入力端子の窓後縁信号RWがアクティブになり、論理ANDゲートAND4の第１入力端子及び従って窓基準信号Hvがアクティブになる。第２同期セット−リセットフリップフロップSSR4のセット入力端子S4が論理ANDゲートAND3を経てANDゲートになり、出力信号Hpw2が次のクロック周期XCLK中アクティブになる。また、第１同期セット−リセットフリップフロップSSR3のリセット入力端子R3がアクティブになり、出力信号Hpd2は次のクロック周期XCLK中イナクティブに維持される。窓基準信号Hvがアクティブになる結果として、カウンタキロCO3がリセットされ、窓前縁信号LW及び窓後縁信号RWが１クロック周期CP後の開始瞬時t0'にイナクティブになる。瞬時tHsyp2においてクロックド水平同期パルスHsypが発生し、これが第２セット−リセットフリップフロップSSR4のリセット入力端子R4をアクティブにし、信号Hpw2が１クロック周期後にイナクティブになる。この瞬時では論理ANDゲートAND2の一方の入力端子がアクティブ信号Hpw2により論理インバータゲートを経てイナクティブであるため、第１セット−リセットフリップフロップSSR3の状態は変化せず、出力信号Hpd2はイナクティブに維持される。このとき第１及び第２同期セット−リセットフリップフロップSSR3及びSSR4は瞬時t0と同一の状態になり、次のクロックド水平同期パルスHsypが発生する瞬時に応じて、上述した状態の一つが発生しうる。２つの連続するクロックド同期パルスHsypがTmaxより長い場合には、窓基準信号Hvは窓後縁信号RW（瞬時tRW2）に等しくなる。
カウンタ回路CO2,CO3のリセット信号として、実際上非同期ゲート信号Hpの同期レプリカである同期式に発生させた窓基準パルスHvの代わりに、非同期ゲート信号Hp又は同期されたゲート信号Hpを使用することもできる。
更に、上述したディジタル実施例の代わりにアナログ実施例も可能である。ディジタルカウンタCO2,CO3の代わりにトリガ可能な三角波発生器を使用することができる。カウンタCO2,CO3はリセットコマンド（例えばHv）からカウントを時間の関数として上昇し、そのカウンタ値が経過時間を表す。慣例のトリガ可能な三角波発生器はキャパシタに電流を蓄積し、トリガパルスからの経過時間を表す電圧を発生する。カウントを読み取り関連するパルス縁又はパルスを発生するアナログ等価物として電圧レベル比較器を使用することができる。
上述したディジタル実施例により行われる機能はマイクロコンピュータにより実現することもできる。マイクロコンピュータは本願明細書に述べられているパルスを表す瞬時を計算することができる。
一例として、窓パルスLW,RWはそれぞれ窓の前縁LWの発生瞬時及び窓の後縁RWの発生瞬時により表すことができる。これらの瞬時は計算値により表すことができる。マイクロコンピュータはパルスを発生することもできる。
上述した実施例は本発明の範囲を限定するものでなく、当業者であれば本発明の範囲を逸脱することなく多くの他の変形がかのうである。請求の範囲において括弧内の参照符号も本発明の範囲を制限するのもではない。
【図１Ａ】
0003562815.tif 000002
【図１Ｂ】
0003562815.tif 000003
【図２】
0003562815.tif 000004
【図３】
0003562815.tif 000005
【図４】
0003562815.tif 000006
【図５】
0003562815.tif 000007
【図６】
0003562815.tif 000008